(57)【特許請求の範囲】
【請求項１】
電磁波を遮断する材料で形成され、試験対象物を収納する本体と、本体に取り付けられた開閉自在な蓋体と、本体に蓋体を固定する固定具と、を備えるシールドケースにおいて、
固定具は、本体に設けられた係止棒と、蓋体に設けられた支持軸を中心にして可動すると共に蓋体の開閉を操作するためのハンドルと、蓋体の所定の拘束位置にハンドルを拘束する拘束器と、ハンドルに連動して本体に設けられた係止棒に係止するフックと、を備え、
ハンドルを操作して蓋体を本体に接触させ、さらに、本体方向に押し込むことによりハンドルが拘束器から離れ、フックが本体の係止棒に係止することで蓋体が本体に固定されることを特徴とするシールドケース。
【請求項２】
請求項１に記載のシールドケースにおいて、
蓋体にハンドルを拘束する拘束器は、蓋体を開く場合にはハンドルを蓋体に拘束し、蓋体が本体に固定される場合には、拘束を解除することを特徴とするシールドケース。
【請求項３】
請求項１又は２に記載のシールドケースにおいて、
拘束器は、本体方向に押し込む荷重であって、予め決められた押込み荷重により拘束が解除される磁石型吸着器であることを特徴とするシールドケース。
【請求項４】
請求項１から３のいずれか１項に記載のシールドケースにおいて、
蓋体は、延伸するダンパーにより本体に支持され、拘束器はダンパーの延伸力より強い力、かつ、予め決められた押込み荷重よりも弱い力でハンドルを拘束することを特徴とするシールドケース。
【発明の詳細な説明】
【技術分野】
【０００１】
容易な操作で、安定したシールド効果を得ることのできるシールドケースに関する。
【背景技術】
【０００２】
移動体通信サービスで用いられる携帯電話等の無線装置を試験する場合において、外部から余分な電磁波が入らない環境にて試験を行うことが要求される。このような要求に応えるため、従来から、周囲の電磁波を遮断した状態で携帯電話の各種試験を実施できるシールドケースが用いられている。
【０００３】
例えば、一般的なシールドケースは、箱形の本体とその開口部を覆う蓋体とで形成され、蓋体に当接する開口部の周囲には、反発力のある導電性のシールドパッキンが設けられ、ロック機構により蓋体と本体開口部の縁を密着して電磁波の漏洩を防止している。しかし、蝶番と固定具を有するシールドケースでは、蝶番側の蓋体又は本体が先にシールドパッキンに接触し、シールドパッキンが均一に圧縮されない場合がある。
【０００４】
そこで、特許文献１では、ロック機構に蝶番と対向する２側部にパッチン錠を設けることで蓋体又は本体を全体的に押しつけて固定し、圧縮方向に所定の自由度を持たせた蝶番を用いることによりシールドパッキンの圧縮力を均等とし、蓋体と本体とを均一に密着固定させる技術が開示されている。
【０００５】
図７は、従来のシールドケース１００の断面図を示し、図７（ａ）はパッチン錠４の施蓋前（アンロック状態）、図７（ｂ）は施蓋後（ロック状態）を示している。本体１には、シールドパッキン７と、蓋体を開閉自在に支持する支持軸８と掛け金１２及びレバー１３とを有するパッチン錠４と、が設けられている。また、蓋体２には、パッチン錠４の掛け金１２が係止するフック１１と、本体側の支持軸８に取り付けられる筒体９と、が設けられている。
【０００６】
本体１の開口縁には縁部が立ち上がった水切り部６が形成され、水切り部６の上面にはシールドパッキン７が本体開口部全周にわたり貼り付けられ、水切り部６の下面から伸びるアームには支持軸８が形成されている。本体側の支持軸８を軸支する蓋体側の筒体９は蓋体２の側面にそって伸びる長円形状に形成され、蝶番３の回動軸部は上下方向に移動可能となっている。
【０００７】
このため、図７（ｂ）の施蓋後に示すように、蓋体２は、周囲の１辺に設けられた蝶番３により扉状に接続され、この蝶番３の回動軸部の断面を長円形状とすることで蓋体２の押しつけ位置を移動可能とし、本体の開口部全周にわたり、均一な力でシールドパッキン７を蓋体２に密着させている。
【０００８】
【特許文献１】特開２０００−２２３８５４号公報
【発明の開示】
【発明が解決しようとする課題】
【０００９】
上述したシールドケースでは、断面が長円形状の蝶番とパッチン錠とを用いることにより、反発力のあるパッキンを使用しても、簡易な操作で蓋体を本体に密着固定できるシールドケースとなる。しかし、二つのパッチン錠を用いていることから、蓋体を閉める作業において、蝶番とは反対側の開放側パッチン錠をフックに引っかけてロックした後、蝶番側パッチン錠をロックする必要があり、蓋体を閉める作業を片手で行うことが困難であった。
【００１０】
また、測定形式によっては、シールドケースに設けられた測定用ケーブルを携帯電話に接続して再度シールドケースに戻す等の作業と共に、上記の蓋体を閉める作業を行うことはさらに煩雑な作業となる。そこで、本発明では、片手操作で容易に固定することができ、安定したシールド効果を得ることのできるシールドケースを提供することを目的とする。
【課題を解決するための手段】
【００１１】
以上のような目的を達成するために、本発明に係るシールドケースは、電磁波を遮断する材料で形成され、試験対象物を収納する本体と、本体に取り付けられた開閉自在な蓋体と、本体に蓋体を固定する固定具と、を備えるシールドケースにおいて、固定具は、本体に設けられた係止棒と、蓋体に設けられた支持軸を中心にして可動すると共に蓋体の開閉を操作するためのハンドルと、蓋体の所定の拘束位置にハンドルを拘束する拘束器と、ハンドルに連動して本体に設けられた係止棒に係止するフックと、を備え、ハンドルを操作して蓋体を本体に接触させ、さらに、本体方向に押し込むことによりハンドルが拘束器から離れ、フックが本体の係止棒に係止することで蓋体が本体に固定されることを特徴とする。
【００１２】
また、本発明に係るシールドケースにおいて、蓋体にハンドルを拘束する拘束器は、蓋体を開く場合にはハンドルを蓋体に拘束し、蓋体が本体に固定される場合には、拘束を解除することを特徴とする。
【００１３】
また、本発明に係るシールドケースにおいて、拘束器は、本体方向に押し込む荷重であって、予め決められた押込み荷重により拘束が解除される磁石型吸着器であることを特徴とする。
【００１４】
さらに、本発明に係るシールドケースにおいて、蓋体は、延伸するダンパーにより本体に支持され、拘束器はダンパーの延伸力より強い力、かつ、予め決められた押込み荷重よりも弱い力でハンドルを拘束することを特徴とする。
【発明の効果】
【００１５】
本発明を用いることにより、片手操作により蓋体を閉める操作と固定具のロック作業を連続して行うことができるという効果がある。
【発明を実施するための最良の形態】
【００１６】
以下、本発明を実施するための最良の形態（以下実施形態という）を、図面に従って説明する。
【実施例】
【００１７】
図１にはシールドケース１０の概要が示されている。シールドケース１０は、携帯電話等の無線機を載置するためのステージ１７及び計測装置と接続するための各種インターフェースとを有する本体１と、本体１を覆う蓋体２と、蝶番３と、蓋体２と本体１を固定する固定具と、蓋体２を開いた状態を維持させるための延伸型のダンパー１６と、を有している。
【００１８】
本実施形態では、電磁波のシールドを確実にするため図６に示すような凹凸状のシールド構造を用いている。蓋体２には、開口部全周にわたり凸状のシールドブロック１４ａを設け、シールドブロック１４ａの両肩部にシールドパッキン７を貼り付けている。また、本体１には凹状のシールドブロック１４ｂを設け、このシールドブロック１４ｂには蓋体２の凸状のシールドブロック１４ａの凸部に密着するシールドパッキン７を貼り付け、外部から侵入する電磁波を減衰させている。
【００１９】
また、片手操作による蓋体２の開閉と固定（施錠）を実現するため、図１の固定具は、本体側に設けられている係止部３０と、蓋体２に拘束されたハンドル１５を含むハンドルアッシー２０と、を有している。さらに、測定用ケーブルを携帯電話に接続して出し入れする場合において、測定用ケーブルは、手前側であって、蓋体のハンドルアッシー２０反対側にフッキングされ、測定用ケーブルの挟み込みを防止するように構成されている。
【００２０】
図２と図４（ｂ）はシールドケース１０を閉じた状態（クローズ＆ロック状態）の外観を示している。本実施形態で特徴的な事項は、図４（ａ）に示すように蓋体２が本体１に固定されていない状態（アンロック状態）又は開いた状態（オープン状態）の場合にはハンドル１５を磁石２１により蓋体２に拘束し、蓋体２が本体１に固定される閉じた状態（クローズ＆ロック状態）の場合にはハンドル１５の拘束を解除することである。このような構造により、シールドケース１０の蓋体２が単に閉じた状態（クローズ状態）、又は、不完全に本体１に固定された状態（アンロック状態）にはハンドル１５が上側に位置し、施錠時（ロック状態）のみ水平位置となることで、ロック状態とアンロック状態が容易に識別でき、確実なクローズ＆ロック（施錠）が可能となることである。
【００２１】
図３と図４（ｂ）はシールドケース１０の蓋体２が本体１に固定された時の固定具の状態（クローズ＆ロック状態）を示している。図３に示すように、ハンドルアッシー２０は、ハンドル１５と、ハンドル１５と吸着板２８とが固定されているベースブロック２２と、二つのフック２４と、フック２４とベースブロック２２を接続する支持軸２７及び作用軸２５と、支持軸２７を蓋体２に固定する二つの蓋エンドブロック２６と、を有している。
【００２２】
係止部３０は、係止軸３４に挿入されている係止軸カラー３３と、係止軸３４を本体１に固定する二つの本体エンドブロック３２と、を有している。係止軸カラー３３は、係止軸３４に対して回転自在となり、フック２４の係止動作を円滑なものにしている。また、図４（ｂ）に示すように、クローズ＆ロック状態ではフック２４の先端部がストッパ３５の側面に当接してハンドル１５の作動範囲を制限している。
【００２３】
図５にはシールドケース１０の固定具の構成部品の分解図が示され、図５を用いて組み立ての手順を示す。本体１に係止部３０を取り付ける手順は、係止軸３４より短い係止軸カラー３３を係止軸３４に被せて係止軸を本体エンドブロック３２に圧入し、本体エンドブロック３２を本体１にネジ固定する。
【００２４】
次に、ベースブロック２２にハンドル１５と吸着板２８を固定し、ベースブロック２２の上側の穴には支持軸２７を挿入すると共にベースブロック２２の下側の穴には４本の溝が設けられた作用軸２５を圧入した後、Ｅリング２９を各溝にはめ込む。このＥリング２９はハンドルが横方向へ移動することを制限している。
【００２５】
磁石２１を蓋体２にネジ固定し、次に、作用軸２５と支持軸２７へフック２４をそれぞれはめ込み、その外側に蓋エンドブロック２６を同様に圧入し、最後に、蓋エンドブロック２６を蓋体２へネジ固定する。
【００２６】
以上、上述したように、本実施形態に係るシールドケースを用いることにより、片手操作で容易に固定することができ、安定したシールド効果を実現できる。また、本実施形態では、磁石２１の吸着面に赤いシールを貼り付けている。このシールにより、クローズ＆ロック状態では、操作者が磁石２１の赤いシールを目視することができ、オープン＆アンロック状態では赤いシールがベースブロック２２により目視できなくなることで、シールドケースの状態を容易に識別することが可能となる。なお、この赤いシールに限定するものではなく、「ＣＬＯＳＥ」という文字を入れたシールでもよく、状態が分かるものであればよい。
【００２７】
さらに、本実施形態では磁石を用いているが、これに限定するものではなく、プランジャ型の係止具でも、嵌め合い型のオス・メス型のファスナなどでもよいことはいうまでもない。
【図面の簡単な説明】
【００２８】
【図１】本発明の実施形態に係るシールドケースの概要を示す斜視図である。
【図２】本発明の実施形態に係るシールドケースを閉めた状態の外観を示す斜視図である。
【図３】本実施形態に係るシールドケースの固定具の構成を示す斜視図である。
【図４】本実施形態に係るシールドケースの固定前と固定後のハンドル位置を説明する説明図である。
【図５】本実施形態に係るシールドケースの固定具の構成部品を説明する分解図である。
【図６】本実施形態に係るシールドブロックの構造を説明する説明図である。
【図７】従来のシールドケースの構成を説明する説明図である。
【符号の説明】
【００２９】
１  本体、２  蓋体、３  蝶番、４  パッチン錠、６  水切り部、７  シールドパッキン、８  支持軸、９  筒体、１０，１００  シールドケース、１１  フック、１２  掛け金、１３  レバー、１４ａ，１４ｂ  シールドブロック、１５  ハンドル、１６  ダンパー、１７  ステージ、２０  ハンドルアッシー、２１  磁石、２２  ベースブロック、２４  フック、２５  作用軸、２６  蓋エンドブロック、２７  支持軸、２８  吸着板、２９  Ｅリング、３０  係止部、３２  本体エンドブロック、３３  係止軸カラー、３４  係止軸、３５  ストッパ。
【図１】
0005160929.tif 000002
【図２】
0005160929.tif 000003
【図３】
0005160929.tif 000004
【図４】
0005160929.tif 000005
【図５】
0005160929.tif 000006
【図６】
0005160929.tif 000007
【図７】
0005160929.tif 000008